(57)【要約】【課題】カメラ本体に複数の処理を行わせるためのスイッチをリモコンに１つだけ設けることにより、リモコンの製造コストの低減を可能としたカメラシステムを提供すること。【解決手段】リモコン２には、カメラ本体３に所定の処理を行わせるためのスイッチが１つだけ設けられている。このスイッチを操作すると、リモコン２からは、複数の信号を含んだ遠隔操作信号が送信される。カメラ本体３は、この遠隔操作信号を受信し、その一部の信号に基づいて処理を行う。【選択図】　図１
2004125908.tif 000002
【特許請求の範囲】
【請求項１】
１つのスイッチが操作されることにより、複数の異なる信号を送信するリモコンと、
前記複数の異なる信号を受信し、設定状態に基づいて受信した前記複数の異なる信号に関する処理を選択して行うカメラ本体と、
を備えることを特徴とするカメラシステム。
【請求項２】
前記カメラ本体は、設定状態に従って、受信された前記複数の異なる信号のうちの一部の信号に関する処理を行うことを特徴とする請求項１に記載のカメラシステム。
【請求項３】
前記複数の異なる信号は、前記カメラ本体にレリーズ動作を行わせるレリーズ信号と、日時に関する情報を有するデート信号とを含むことを特徴とする請求項１又は２に記載のカメラシステム。
【請求項４】
前記リモコンは、標準電波を受信する機能を有し、
前記デート信号は、前記標準電波に基づく情報を有することを特徴とする請求項３に記載のカメラシステム。
【請求項５】
前記カメラ本体は、日時修正モードである場合に前記デート信号に基づいて日時の修正処理を行い、日時修正モードでない場合に前記レリーズ信号に基づいてレリーズ処理を行うことを特徴とする請求項３又は４に記載のカメラシステム。
【発明の詳細な説明】
【０００１】
【発明の属する技術分野】
本発明は、信号を送信するリモコンと送信された信号に基づいて所定の処理を行うカメラ本体とを有するカメラシステムに関する。
【０００２】
【従来の技術】
従来、スイッチが操作されることによりレリーズ信号等を送信するリモコンと、リモコンからの信号に基づいて所定の処理を行うカメラ本体とを有するカメラシステムが知られている。また、このようなカメラシステムのリモコンには、レリーズ信号に加えて他の信号を送信可能としたものもある。このカメラシステムの場合、リモコンにはレリーズ信号送信用のスイッチと他の信号の送信用のスイッチとが設けられている。すなわち、送信したい信号毎にスイッチが設けられている。
例えば、特開平９−１６６８２０号公報に記載されるように、リモコンに送信キーとレリーズキーを備え、送信キーを操作することによりプリント枚数設定情報などをカメラ本体側へ送信可能とし、レリーズキーを操作することによりレリーズ信号をカメラ本体側へ送信可能としたものが知られている。
また、特開平１１−３５２５７３号公報には、リモコンのレリーズスイッチの操作により写し込み情報データをカメラ本体側に送信し、撮影モードになっているときには続いてレリーズ信号をカメラ本体側に送信するものが記載されている。
【特許文献１】
特開平９−１６６８２０号公報（７頁、図２）
【特許文献２】
特開平１１−３５２５７３号公報（３頁、図２）
【０００３】
【発明が解決しようとする課題】
しかし、これらのカメラシステムにあっては、信号送信に関するスイッチをリモコンに複数設ける必要があり、スイッチの設置数が多くなり、リモコンの製造コストが高くなってしまう。特開平９−１６６８２０号公報のカメラシステムにあっては、送信キーとレリーズキーの複数のスイッチを設ける必要があり、リモコンの製造コスト面で不利である。また、特開平１１−３５２５７３号公報のカメラシステムにあっても、信号送信に関するスイッチとしてレリーズスイッチのほかにモード選択スイッチなどが必要であり、リモコンの製造コストの低減を図るためには、スイッチ数を削減することが望ましい。
【０００４】
本発明は、上記問題点を解消する為になされたものであり、リモコンの製造コストの低減を可能としたカメラシステムを提供することを目的とする。
【０００５】
【課題を解決するための手段】
このような目的を達成するために、本発明に係るカメラシステムは、１つのスイッチが操作されることにより複数の異なる信号を送信するリモコンと、複数の異なる信号を受信し設定状態に基づいて受信した複数の異なる信号に関する処理を選択して行うカメラ本体とを備えたことを特徴とする。
【０００６】
この発明によれば、１つのスイッチ操作により複数の異なる信号がリモコンから送信された際、カメラ本体では設定状態、例えば動作モード状態に応じて受信した信号に関する処理の一部又は全部を適宜選択して所定の処理を行う。すなわち、カメラ本体は、受信した複数の信号に関する処理のうち処理すべきものを設定状態に応じて適宜選択し処理を行う。このため、信号ごとにスイッチが設けられるリモコンに比べ、スイッチの設置数を減らすことができる。従って、リモコンの製造コストを低減することができる。
【０００７】
また、本発明に係るカメラシステムでは、カメラ本体は、設定状態に従って、受信された複数の異なる信号のうちの一部の信号に関する処理を行うことを特徴とする。
【０００８】
この場合には、設定状態に従って、受信された複数の異なる信号のうちの一部の信号に関する処理がカメラ本体により行われる。このため、カメラ本体は、複数の異なる信号を受信したにもかかわらず、そのうち一部の信号のみを抽出して、一部の信号のみが送信されてきた場合と同様に処理を行うこととなる。逆に、複数の異なる信号のうち一部の信号を除く他の信号に関する処理について行わないこととなる。従って、使用者はカメラ本体を所定の設定状態とすることによりカメラ本体に所望の処理のみを行わせることが可能となる。
【０００９】
また、本発明に係るカメラシステムでは、複数の異なる信号は、カメラ本体にレリーズ動作を行わせるレリーズ信号と、日時に関する情報を有するデート信号とを含むことを特徴とする。
【００１０】
また、本発明に係るカメラシステムでは、リモコンは、標準電波を受信する機能を有し、デート信号は、標準電波に基づく情報を有することを特徴とする。
【００１１】
この場合には、リモコンは標準電波を受信する機能を有しているので、リモコンの日時に関する情報は、より正確なものとなる。このため、送信されるデート信号は、正確な日時に関する情報を有することとなる。従って、カメラ本体の日時表示をより正確な日時に修正することができる。
【００１２】
また、本発明に係るカメラシステムでは、日時修正モードである場合にデート信号に基づいて日時の修正処理を行い、日時修正モードでない場合にレリーズ信号に基づいてレリーズ処理を行うことを特徴とする。
【００１３】
【発明の実施の形態】
以下、添付図面に基づき、本発明の実施形態について説明する。なお、図面の寸法比率は、説明のものと必ずしも一致していない。
【００１４】
本実施形態に係るカメラシステムについて説明する。
【００１５】
図１は、本実施形態に係るカメラシステムの構成を示す斜視図である。図１に示すように、本実施形態に係るカメラシステム１は、リモコン２とカメラ本体３とを備えて構成され、リモコン２を操作することにより、カメラ本体３から離れた位置からカメラ本体３の操作等を可能とするものである。
【００１６】
リモコン２は、１つのスイッチ（後述する遠隔操作信号送信スイッチ３６）が操作されることにより、複数の異なる信号を送信するものである。カメラ本体３は、複数の異なる信号を受信し、受信した複数の異なる信号に基づいて所定の処理を行うものである。ここで、複数の異なる信号とは、データ信号や命令信号などを意味し、例えば、カメラ本体３にレリーズ動作を行わせるレリーズ信号や、日時に関する情報を有するデート信号が該当する。
【００１７】
次に、図２及び図３を参照して、リモコン２について詳しく説明する。図２は、図１に示したリモコン２の構成を示すブロック図であり、図３は、図１に示したリモコン２の一部構成を示す外観図である。
【００１８】
図２に示すように、リモコン２には、リモコン２全体の制御を行うＣＰＵ１０が設けられている。ＣＰＵ１０は、制御・演算処理のためのプログラムを予め記憶しているＲＯＭ１２、及び制御・演算の際に各種データを記憶するＲＡＭ１４が内蔵されている。また、ＣＰＵ１０は、基準となるクロックに基づいて秒分時、年月日のカウントアップを行う時計機能を備えている。
【００１９】
また、ＣＰＵ１０には、電源回路１６、ＬＣＤ１８、ブザー（アラーム）２０、リモコン送信回路２２、標準電波受信回路２４、ＥＥＰＲＯＭ２６、スイッチ群２８が接続されている。電源回路１６は、電池等からの電力をＣＰＵ１０に供給するためのものである。ＬＣＤ１８は、電池等の残容量（蓄電量）やＣＰＵ１０に計時されている日時を表示するものである。また、ＬＣＤ１８は、標準電波の受信が正常に行われたか否かを示す表示なども行う。
【００２０】
ブザー２０は、信号の送信時に送信したことを示す報知音を発したり、標準電波の受信が正常に行われたか否かを示す報知音を発したりするものである。リモコン送信回路２２は、カメラ本体３に信号を送信するためのものであり、例えば、赤外線により送信を行うものである。標準電波受信回路２４は、標準電波を受信するためのものである。この標準電波受信回路２４は、受信アンテナ３０に接続されている。受信アンテナ３０は、標準電波を受信するアンテナであり、例えば、フェライトコアに導線を巻き回して構成される。リモコン２は、標準電波が受信されると、ＣＰＵ１０で計時が行われている日時を標準電波に基づくものに修正する。これにより、リモコン２は正確な日時の情報を表示することが可能となる。
【００２１】
ＥＥＰＲＯＭ２６は、各時点におけるリモコン２の状態や各種の制御パラメータ等を記憶するものである。スイッチ群２８は、図３に示すように、デートスイッチ３２、セットスイッチ３４及び遠隔操作信号送信スイッチ３６からなっている。
【００２２】
デートスイッチ３２は、ＬＣＤ１８に表示される日時の切替を行うものであり、例えば、「年月日」の表示から「時分秒」の表示に切り替えるものである。また、デートスイッチ３２は、日時修正モード中においては修正を行う桁を切り替える機能を有し、例えば、修正桁を「年」から「月」、「月」から「日」に切り替える。さらに、デートスイッチ３２は、所定時間オンされることにより、リモコン２の日時修正モードに切り替える機能を有する。
【００２３】
セットスイッチ３４は、ＬＣＤ１８に表示される日時を修正する場合に用いられるものであり、例えば、日時修正モード中において年月日のそれぞれの項目のカウントアップを行うものである。このスイッチ３４を操作することにより、例えば、年の表示が「０１」であった場合、「０２」とすることができる。遠隔操作信号送信スイッチ３６は、複数の異なる信号を有する遠隔操作信号をカメラ本体３に送信するためのものであり、具体的には、レリーズ信号とデート信号とを含む遠隔操作信号を送信するためのものである。
【００２４】
ここで、デートスイッチ３２を操作したときのＬＣＤ１８に表示される日時表示の表示例について説明する。図４は、図３に示したＬＣＤ１８に表示される日時表示の一例を示す図であり、（ａ）は全表示の一例であり、（ｂ）は日付表示の一例であり、（ｃ）は時刻表示の一例である。
【００２５】
図４（ａ）に示すように、ＬＣＤ１８は、表示領域３７を有し、この表示領域３７内において、年、月、日、時、分、秒に関する日時表示３８、電池の残容量を示す電池マーク表示３９、及びレリーズ信号とデート信号とを含む遠隔操作信号を送信したことを示す送信表示４０が設けられている。さらに、表示領域３７内には、受信中表示４１、正常受信表示４２、非正常受信表示４３が表示されるようになっている。例えば、受信中表示４１は「受信中」の文字により構成され、正常受信表示４２は「受信ＯＫ」の文字により構成され、非正常受信表示４３は「受信ＮＧ」の文字により構成される。なお、受信中表示４１、正常受信表示４２、非正常受信表示４３の表示は、上記のような文字に限らず、アンテナマーク等の絵柄による表示であってもよい。
【００２６】
デートスイッチ３２は、操作されることにより、例えば、図４（ｂ）から図４（ｃ）に、又は図４（ｃ）から図４（ｂ）に示すように表示内容を切り替える。図４（ｂ）に示す表示領域３７内には日時表示３８として「年月日」が示されている。図４（ｃ）に示す表示領域３７内には日時表示３８として「時分秒」が示されている。すなわち、リモコン２の使用者は、デートスイッチ３２を操作して所望の表示状態を選択することができる。なお、図４（ｂ）及び（ｃ）においては、電池マーク表示３９及び正常受信表示４２も示されている。
【００２７】
次に、図５を参照して、リモコン２により送信される遠隔操作信号について説明する。図５は、リモコン２から送信される遠隔操作信号を説明する図である。図５に示すように、遠隔操作信号は、レリーズ信号とデート信号との２つの信号を含んでいる。以下詳しく説明する。
【００２８】
先ず、遠隔操作信号は、先頭にヘッダーコードを有している。カメラ本体３は、ヘッダーコードを認識することにより、受信した信号の先頭を知ることができる。また、遠隔操作信号は、ヘッダーコードの次に第１レリーズコードを有している。第１レリーズコードを受信したカメラ本体３は、レリーズ動作を行うことになる。また、遠隔操作信号は第１レリーズコードの次に第２レリーズコードを有している。第２レリーズコードは、第１レリーズコードと同じであって、これを受信したカメラ本体３は、レリーズ動作を行うことになる。
【００２９】
レリーズ信号は、この第１レリーズコードと第２レリーズコードとからなっている。ここで、レリーズコードが２回分設けられているのは、カメラ本体３が第１レリーズコードの受信に失敗したとしても、第２レリーズコードを受信しレリーズ動作を行えるようにするためである。
【００３０】
さらに、遠隔操作信号は、第２レリーズコードの次に、年コード、月コード、日コード、時コード、分コード及び秒コードをこの順番で有している。これらの各コードは、それぞれ年月日時分秒を示すものであり、デート信号は、これらの年月日時分秒の各コードからなっている。
【００３１】
このデート信号は、リモコン２のＣＰＵ１０で計時される日時に基づくものであり、リモコン２が標準電波を受信しＣＰＵ１０で計時される日時を正確なものに修正した場合には、送信されるデート信号が有する日時の情報、すなわち各コードが有する情報も標準電波に基づくものとなる。
【００３２】
なお、遠隔操作信号は、レリーズ信号とデート信号との異なる２つの信号のみを有しているが、これに限らず、レリーズ信号及びデート信号以外の他の信号を含んでいてもよい。
【００３３】
次に、図６及び図７を参照してカメラ本体３について詳しく説明する。図６は、図１に示したカメラ本体３の構成を示すブロック図であり、図７は、図１に示したカメラ本体３の一部構成を示す外観図である。なお、図７については、カメラ本体３の背面を図示している。
【００３４】
図６に示すように、カメラ本体３には、ＲＯＭ５２及びＲＡＭ５４を内蔵するＣＰＵ５０が設けられている。これらは、リモコン２に設けられるものと同様であるため説明を省略する。また、ＣＰＵ５０には、電源回路５６、ＬＣＤ５８、ＬＥＤ群６２、デート写込部６４、リモコン受信回路６６、ストロボ回路６８、測光回路７０、ＡＦ回路７２、ＥＥＰＲＯＭ７４、モータードライバー７６、鏡胴駆動部７８、フィルム給送部８０、シャッター駆動部８２、及びスイッチ群８４が接続されている。このうち、電源回路５６、ＬＣＤ５８及びＥＥＰＲＯＭ７４については、リモコン２に設けられるものと同様であるため説明を省略する。
【００３５】
ＬＥＤ群６２は、オートフォーカス用のＬＥＤやセルフモード用のＬＥＤなどから成り、点灯及び消灯等によって、カメラ本体３の状態を示すものである。デート写込部６４は、撮影が実施された日時等をフィルムに写し込むためのものである。リモコン受信回路６６は、リモコン２からの遠隔操作信号を受信するものである。
【００３６】
ストロボ回路６８は、ストロボ窓内に設けられた発光体を有し、ＣＰＵ５０による制御の下、選択されたモード（ストロボ発光態様等に関するモード）に従って発光体をストロボ発光させるものである。
【００３７】
測光回路７０は、被写体光の輝度を検出して、自動露出時の絞り値やシャッタ速度を決定するためのものである。ＡＦ回路７２は、ＡＦ投光窓およびＡＦ受光窓それぞれの中に発光体および受光体それぞれを有し、これら発光体および受光体を用いた三角測距の原理により、ＣＰＵ５０による指示により被写体までの距離を測定し、その測定結果をＣＰＵ５０に送るものである。
【００３８】
モータードライバー７６は、ＣＰＵ５０からの制御信号を受けて鏡胴駆動部７８、フィルム給送部８０、及びシャッター駆動部８２に駆動信号を出力するものである。この駆動信号を受けることにより、鏡胴駆動部７８はレンズ鏡胴の繰り出し及び繰り込みの駆動を行い、フィルム給送部８０は装填されているフィルムを順方向または逆方向に給送し、シャッター駆動部８２はシャッタの開閉駆動を行う。
【００３９】
スイッチ群８４は、図７に示すように、撮影スイッチ群８６と設定スイッチ群８８とを有している。撮影スイッチ群８６は、レリーズスイッチ９０、ＴＥＬＥスイッチ９２及びＷＩＤＥスイッチ９４等の撮影に関するスイッチを有している。レリーズスイッチ９０は、カメラ本体３にレリーズ動作を行わせるためのものである。撮影者は、これを操作することにより撮影を行うことができる。ＴＥＬＥスイッチ９２及びＷＩＤＥスイッチ９４は、ズーミングを行うためのものである。撮影者は、ＴＥＬＥスイッチ９２又はＷＩＤＥスイッチ９４を操作することにより、画角を変えて写真撮影が可能となる。
【００４０】
設定スイッチ群８８は、パワースイッチ９６、デートスイッチ９８、セットスイッチ９９、ストロボモードスイッチ１００及びＭＲスイッチ１０１を有している。パワースイッチ９６は、カメラ本体３を撮影可能状態と撮影不可能状態に切り替えるためのものである。デートスイッチ９８は、リモコン２のものと同様の機能を有すると共に、デート写込部６４が写し込む日時を切り替える切替部としての機能を有するものである。セットスイッチ９９は、リモコン２のものと同様の機能を有するとともに、日時修正モード以外ではカメラの撮影モードのセルフタイマモード、リモコン撮影モードに切り替える機能を有している。ストロボモードスイッチ１００は、ストロボの各種発光モード（オート、赤目低減、強制発光、発光禁止、遠景、夜景）を切り替えるためのスイッチである。ＭＲスイッチ１０１は、撮影途中のフィルムをパトローネに強制的に巻き戻すためのスイッチである。また、カメラ本体３の側部には、裏蓋開閉検出スイッチ１０２が設けられている。この裏蓋開閉検出スイッチ１０２は、フィルム収容室を覆う裏蓋の開閉を検出するスイッチである。
【００４１】
次に、図８を参照して、カメラ本体３のＬＣＤ５８における表示内容について説明する。図８は、図７に示したＬＣＤ５８における全表示の一例を示す図である。ＬＣＤ５８は表示領域１０４を有し、この表示領域１０４内において、年、月、日、時、分、秒に関する日時表示１０６、電池の残容量を示す電池マーク表示１０８、フィルムの残り枚数や使用枚数を示すフィルム枚数表示１１０、リモコン撮影モードを示すリモコン撮影表示１１２、セルフタイマ撮影モードを示すセルフタイマ撮影表示１１４及びストロボ撮影モードを示すストロボ撮影表示１１６が設けられている。
【００４２】
次に、図９を参照して、カメラ本体３のＳＭ開処理について説明する。ＳＭ開処理とは、パワースイッチ９６が操作されることによりカメラ本体３からレンズ鏡胴をＷＩＤＥ位置に繰出すなどして、撮影を可能な状態とする処理である。
【００４３】
先ず、Ｓ１において、バッテリチェックが行われる。この処理は、カメラ本体３の電池の電圧値をチェックする処理である。チェック後、処理はＳ２に移行する。Ｓ２では、バッテリの電圧値がＮＧであるか否かが判定される。バッテリの電圧値がＮＧであると判断された場合、処理はＳ５に移行する。一方、バッテリの電圧値がＮＧでないと判断された場合、処理はＳ３に移行する。
【００４４】
Ｓ３では、フィルム枚数が表示される。ここでは、フィルム枚数がカメラ本体３のＬＣＤ５８におけるフィルム枚数表示１１０に数値として表示される。そして、処理はＳ４に移行し、繰出処理が行われる。ここでは、モータードライバー７６からの駆動信号を受けた鏡胴駆動部７８がレンズ鏡胴の繰出を行う。そして、処理はＳ５に移行する。
【００４５】
Ｓ５では、繰出処理がＯＫか否かが判断される。すなわち、正常にレンズ鏡胴が繰出されたか否かが判断される。ここでの判断は、例えば、予め設定されたＷＩＤＥ位置までレンズ鏡胴が繰出されているか否かによって行われる。繰出処理がＯＫであると判断された場合、Ｓ６に移行し、撮影モードの表示が行われる。この表示は、ストロボ発光態様等に関するモードの表示である。
【００４６】
そして、処理はＳ７に移行し、デート表示が行われる。ここでは、日時がカメラ本体３のＬＣＤ５８における日時表示１０６に数値として表示される。その後、処理はＳ８に移行し、各スイッチ９０〜１０２が入力可能状態とされる。そして、一連の処理は終了する。
【００４７】
一方、Ｓ５において、繰出処理がＯＫでないと判断された場合、処理はＳ９に移行し、パワースイッチ９６、ＭＲスイッチ１０１、裏蓋開閉検出スイッチ１０２を除いた各スイッチ９０〜１００が入力不可状態とされる。そして、一連の処理は終了する。なお、各スイッチ９０〜１００の入力可能及び不可能の切替は、各スイッチ９０〜１００に該当するポートをＩＮ及びＯＵＴ間で切り替えることによってなされる。
【００４８】
ＳＭ開処理が正常に終了すると、各スイッチは入力可能状態となる。これにより、カメラ本体３は各スイッチによる操作等が可能となる。そして、例えば、デートスイッチ９８が操作された場合には、以下の処理が行われる。
【００４９】
次に、図１０及び図１１を参照して、カメラ本体３のデートスイッチ９８が操作された場合の処理について説明する。図１０及び図１１は、図７に示すデートスイッチ９８が操作された場合のカメラ本体３の処理を示すフローチャートである。先ず、使用者によりデートスイッチ９８が操作されると、Ｓ１０において、日時修正モードあるか否かが判断される。日時修正モードであると判断された場合、Ｓ３０において、修正桁変更処理が行われ、その後、一連の処理は終了する。一方、日時修正モードないと判断された場合、処理はＳ１１に移行する。
【００５０】
Ｓ１１では、現在カメラ本体３のＬＣＤ５８に「年月日」が表示されているか否かが判断される。「年月日」が表示されていると判断された場合、Ｓ１５において、「月日年」のデータがセットされ、処理は図１１のＳ２０に移行する。一方、「年月日」が表示されてないと判断された場合、処理は図１０のＳ１２に移行する。
【００５１】
Ｓ１２では、現在カメラ本体３のＬＣＤ５８に「月日年」が表示されているか否かが判断される。「月日年」が表示されていると判断された場合、Ｓ１６において、「日月年」のデータがセットされ、処理は図１１のＳ２０に移行する。一方、「月日年」が表示されてないと判断された場合、処理は図１０のＳ１３に移行する。
【００５２】
Ｓ１３では、現在カメラ本体３のＬＣＤ５８に「日月年」が表示されているか否かが判断される。「日月年」が表示されていると判断された場合、Ｓ１７において、「日時分」のデータがセットされ、処理は図１１のＳ２０に移行する。一方、「日月年」が表示されてないと判断された場合、処理は図１０のＳ１４に移行する。
【００５３】
Ｓ１４では、現在カメラ本体３のＬＣＤ５８に「日時分」が表示されているか否かが判断される。「日時分」が表示されていると判断された場合、Ｓ１８において、デートの写し込みを行わない「写し込みなし」をセットし、処理は図１１のＳ２０に移行する。一方、「日時分」が表示されてないと判断された場合、処理は図１０のＳ１９に移行し、「年月日」のデータがセットされ、処理は図１１のＳ２０に移行する。
【００５４】
図１１のＳ２０では、図１０のＳ１５〜Ｓ１９のいずれかの処理において、セットされた日時が表示される。例えば、Ｓ１６の処理を経た場合、「日月年」が表示される。なお、Ｓ１８の処理を経た場合、ＬＣＤ５８には日時に関する情報を表示させずに、バー表示（「−−−−−−」）を行う。
【００５５】
日時表示後、処理はＳ２１に移行し、タイマーがスタートする。タイマースタート後、Ｓ２２に移行し、オーバータイムか否かが判断される。ここでは、Ｓ２１でスタートしたタイマーの計時時間が所定時間（例えば２秒）以上か否かが判断される。オーバータイムでないと判断された場合、Ｓ２３においてデートスイッチ９８がオンされているか否かが判断される。デートスイッチ９８がオンされていないと判断された場合、一連の処理は終了する。すなわち、図１０の処理の最初にデートスイッチ９８をオンし、そのオンした時間が所定時間より短い場合、カメラ本体３のＬＣＤ５８に表示される日時表示１０６の内容が切り替わり、一連の処理が終了することとなる。
【００５６】
一方、デートスイッチ９８がオンされていると判断された場合、処理はＳ２２に戻る。そして、再度、Ｓ２２において、オーバータイムか否かが判断される。そして、オーバータイムであると判断された場合、処理はＳ２４に移行し、「年月日」のデータがセットされる。すなわち、図１０の処理の最初にデートスイッチ９８をオンし、そのオンした時間が所定時間以上である場合、処理はＳ２４に移行し、「年月日」のデータがセットされることとなる。
【００５７】
「年月日」のデータをセット後、処理はＳ２５に移行する。Ｓ２５では、セットされた日時が表示される。ここでは、「年月日」のデータがセットされているので、ＬＣＤ５８には「年月日」が表示されることとなる。そして、処理はＳ２６に移行する。Ｓ２６では、リモコン受信回路６６がオンされる。これにより、カメラ本体３は、リモコン２からの遠隔操作信号を受信できるようになる。その後、処理はＳ２７に移行する。
【００５８】
Ｓ２７では、日時表示１０６の「年」を表す数値が点滅する。この状態で、セットスイッチ１００が操作されると、例えば、年の表示が「０１」であった場合、「０２」とすることができる。すなわち、点滅は、セットスイッチ１００を操作することによりその桁が修正されることを示している。そして、処理はＳ２８に移行する。なお、セットスイッチ１００を操作した場合の処理については、図１３を参照して後述する。
【００５９】
Ｓ２８では、カメラ本体３のモードが日時修正モードに切り替わる。その後、処理はＳ２９に移行する。Ｓ２９では、デートスイッチ９８がオンされているか否かが判断される。デートスイッチ９８がオンされていると判断された場合、デートスイッチ９８がオンされていないと判断されるまで、この判断が繰り返される。一方、デートスイッチ９８がオンされていないと判断された場合、一連の処理は終了する。
【００６０】
すなわち、図１０の処理の最初にデートスイッチ９８をオンし、そのオンした時間が２秒以上である場合、処理はＳ２４に移行し、リモコン受信回路６６がオンされて日時修正モードとされる。つまり、このカメラ本体３では、デートスイッチ９８を２秒より短い時間オンすることにより、ＬＣＤ５８に表示される日時の表示内容を切り替えることができ、逆に、２秒以上オンすることにより、リモコン２からの遠隔操作信号を受信でき且つ日時修正を行えるようになる。
【００６１】
次に、図１２を参照して図１０の修正桁変更処理（Ｓ３０）について詳細に説明する。図１２は、図１０に示した修正桁変更処理を示すフローチャートである。修正桁変更処理では、先ず、Ｓ３１において、修正桁として「分」が指定されているか否かが判断される。つまり、セットスイッチ１００の操作により修正される桁として「分」が指定されているか否かが判断される。「分」が指定されていない場合、処理はＳ３２に移行する。例えば、デートスイッチ９８を２秒以上オンし、日時修正モードに切り替えた直後に再度デートスイッチ９８をオンした場合には、修正桁として「年」が指定されているため、処理はＳ３２に移行することとなる。
【００６２】
Ｓ３２では、修正桁であることを示す点滅が停止する。修正桁として「年」が点滅していた場合には、「年」の点滅が停止することとなる。そして、処理はＳ３３に移行する。Ｓ３３では、修正桁として「年」が指定されているか否かが判断される。「年」が指定されていると判断された場合、Ｓ３６に移行する。そして、Ｓ３６において修正桁が「月」にセットされ、処理はＳ４０に移行する。一方、「年」が指定されていないと判断された場合、処理はＳ３４に移行する。
【００６３】
Ｓ３４では、修正桁として「月」が指定されているか否かが判断される。「月」が指定されていると判断された場合、Ｓ３７に移行する。そして、Ｓ３７において修正桁が「日」にセットされ、処理はＳ４０に移行する。一方、「月」が指定されていないと判断された場合、処理はＳ３５に移行する。
【００６４】
Ｓ３５では、修正桁として「日」が指定されているか否かが判断される。「日」が指定されていると判断された場合、Ｓ３８に移行する。そして、Ｓ３８において修正桁が「時」にセットされ、処理はＳ４０に移行する。一方、「日」が指定されていないと判断された場合、処理はＳ３９に移行する。そして、Ｓ３９において修正桁が「分」にセットされ、処理はＳ４０に移行する。
【００６５】
Ｓ４０では、修正桁の点滅が開始する。すなわち、Ｓ３６〜Ｓ３９においてセットされた修正桁が点滅することとなる。その後、処理はＳ４７に移行し、デートスイッチ９８がオンされているか否かが判断される。デートスイッチ９８がオンされていないと判断された場合、デートスイッチ９８がオンされていると判断されるまで、この処理が繰り返される。一方、デートスイッチ９８がオンされていると判断された場合、一連の処理は終了する。このように、修正桁変更処理では、Ｓ３６〜Ｓ３９において新たにセットされた修正桁が点滅し、修正桁が他の桁に変更されることとなる。
【００６６】
ところで、Ｓ３１において、修正桁として「分」が指定されていると判断された場合、処理はＳ４１に移行する。Ｓ４１では、日時情報の丸め込みが行われる。ここでは、「月日」のデータが「２月３１日」などのように実際にあり得ないデータに修正されていた場合に、そのデータを補正する処理が行われる。
【００６７】
その後、処理はＳ４２に移行し、「年月日」のデータがセットされる。そして、処理はＳ４３に移行し、秒データとして「００」がセットされる。秒データセット後、処理はＳ４４に移行し、日時修正モードがリセットされる。すなわち、カメラ本体３のモードが日時修正モードから撮影モード等に切り替えられることとなる。その後、処理はＳ４５に移行する。
【００６８】
Ｓ４５では、セットされた日時が表示される。ここでは、Ｓ４２で「年月日」のデータがセットされているので、ＬＣＤ５８には「年月日」が表示されることとなる。そして、処理はＳ４６に移行し、リモコン受信回路６６がオフされる。その後、Ｓ４７の処理を経て、一連の処理は終了する。
【００６９】
次に、図１３を参照して、日時修正モード中にセットスイッチ１００が操作された場合の処理、すなわちカウントアップ処理について説明する。図１３は、カウントアップ処理を示すフローチャートである。
【００７０】
先ず、日時修正モード中に使用者によりセットスイッチ１００が操作されると、Ｓ５０において、タイマーがスタートする。そして、Ｓ５１に移行し、現在指定されている修正桁の値が上限値であるか否かが判断される。例えば、指定されている桁が「月」である場合、「１２」であるか否かが判断される。修正桁の値が上限値でないと判断された場合、処理はＳ５２に移行し、カウントアップが行われる。ここでは、修正桁が「月」である場合、「月」を示す数値に「１」が加えられる。そして、処理はＳ５４に移行する。
【００７１】
一方、修正桁の値が上限値であると判断された場合、処理はＳ５３に移行し、修正桁の値は初期値にセットされる。例えば、指定されている桁が「月」である場合、初期値として「１」がセットされる。そして、処理はＳ５４に移行する。
【００７２】
Ｓ５４では、デート表示が行われる。ここでは、Ｓ５２においてカウントアップされた値又はＳ５３においてセットされた初期値のいずれか一方が表示されることとなる。なお、表示内容が「年月日」であり、修正桁が「月」である場合には、修正が行われていない「年日」の表示も当然行われる。
【００７３】
そして、処理はＳ５５に移行する。Ｓ５５では、セットスイッチ１００がオンされているか否かが判断される。セットスイッチ１００がオンされていないと判断された場合、処理はＳ５６に移行し、修正桁の点滅が開始される。そして、一連の処理は終了する。
【００７４】
一方、セットスイッチ１００がオンされていると判断された場合、処理はＳ５７に移行し、オーバータイムか否かが判断される。すなわち、Ｓ５０においてスタートしたタイマーの計時時間が所定時間（例えば１秒）以上か否かが判断される。
【００７５】
Ｓ５７において、オーバータイムでないと判断された場合、処理はＳ５５に戻り、再び、セットスイッチ１００がオンされているか否かが判断される。一方、オーバータイムであると判断された場合、処理はＳ５８に移行し、所定時間ウェイト状態となる。ここでの所定時間は、例えば２５０ｍ秒である。所定時間経過後、処理はＳ５９に移行する。Ｓ５９では、指定されている修正桁の点滅が停止する。そして、処理はＳ５１に戻る。
【００７６】
このように、日時修正モード中にセットスイッチ１００が操作されると、修正桁のカウントアップ等が行える。また、セットスイッチ１００をオンし続けることにより、カウントアップを連続して行うことができる。つまり、Ｓ５８のウェイト時間が２５０ｍ秒である場合には、セットスイッチ１００をオンし続けていると約２５０ｍ秒間隔で修正桁の値がカウントアップされることとなる。
【００７７】
次に、カメラシステム１の遠隔操作信号送受信に関する処理について説明する。先ず、使用者によりリモコン２の遠隔操作信号送信スイッチ３６が操作されると、レリーズ信号とデート信号とを含んだ遠隔操作信号がリモコン２から送信される。また、カメラ本体３では、図１４及び図１５に示すフロチャートに従う処理が行われる。
【００７８】
図１４及び図１５は、図１に示したカメラ本体３の遠隔操作信号の受信に関する処理を示すフローチャートである。先ず、図１４に示すように、Ｓ６０において、ヘッダーコードが受信されたか否かが判断される。ヘッダーコードが受信されなかったと判断された場合、ヘッダーコードが受信されるまでは、カメラ本体３は、この判断を繰り返すこととなる。ヘッダーコードが受信されたと判断された場合、処理はＳ６１に移行する。Ｓ６１では、カウンタの数値が「０」にセットされる。
【００７９】
カウンタ数値セット後、処理はＳ６２に移行する。Ｓ６２では命令コードの受信が行われる。そして、Ｓ６３に移行し、カウンタの数値に「１」が加えられる。その後、処理はＳ６４に移行し、カメラ本体３のモードが日時修正モードであるか否かが判断される。カメラ本体３のモードが日時修正モードでないと判断された場合、処理はＳ６５に移行する。Ｓ６５では、レリーズコードであるか否かが判断される。ここで、カウンタの数値が「１」となっている場合、１番目のコードがレリーズコードであるか否かが判断されることとなる。
【００８０】
レリーズコードであると判断された場合、Ｓ６６に移行し、レリーズ処理が行われる。その後、処理は終了する。一方、レリーズコードでないと判断された場合、Ｓ６７に移行し、カウンタの数値が「２」であるか否かが判断される。カウンタの数値が「２」でないと判断された場合、処理はＳ６２に戻る。
【００８１】
処理がＳ６２に戻り、Ｓ６２〜Ｓ６４の処理を経てＳ６５に移行し、Ｓ６５においてレリーズコードでないと判断された場合、処理は、再度Ｓ６７に移行し、カウンタの数値が「２」であるか否かが判断される。この時点では、Ｓ６３の処理が２回行われているため、カウンタの数値は「２」となっている。従って、カウンタの数値が「２」であると判断され、一連の処理は終了する。
【００８２】
ところで、Ｓ６４において、カメラ本体３のモードが日時修正モードであると判断された場合、処理はＳ６８に移行する。Ｓ６８では、カウンタの数値が「２」であるか否かが判断される。カウンタの数値が「２」でないと判断された場合、処理はＳ６２に戻る。
【００８３】
処理がＳ６２に戻り、Ｓ６２〜Ｓ６４の処理を経てＳ６８に移行した場合、再度、カウンタの数値が「２」であるか否かが判断される。Ｓ６３の処理が２回行われている場合は、カウンタの数値が「２」となっており、処理は図１５のＳ６９に移行する。
【００８４】
Ｓ６９では、年コードが受信される。そして、処理はＳ７０に移行する。Ｓ７０では、年コードが正常に受信されたか否かが判断される。年コードが正常に受信されなかったと判断された場合、一連の処理は終了する。年コードが正常に受信されたと判断された場合、処理はＳ７１に移行する。
【００８５】
Ｓ７１では、月コードが受信される。そして、処理はＳ７２に移行する。Ｓ７２では、月コードが正常に受信されたか否かが判断される。月コードが正常に受信されなかったと判断された場合、一連の処理は終了する。月コードが正常に受信されたと判断された場合、処理はＳ７３に移行する。
【００８６】
Ｓ７３では、日コードが受信される。そして、処理はＳ７４に移行する。Ｓ７４では、日コードが正常に受信されたか否かが判断される。日コードが正常に受信されなかったと判断された場合、一連の処理は終了する。日コードが正常に受信されたと判断された場合、処理はＳ７５に移行する。
【００８７】
Ｓ７５では、時コードが受信される。そして、処理はＳ７６に移行する。Ｓ７６では、時コードが正常に受信されたか否かが判断される。時コードが正常に受信されなかったと判断された場合、一連の処理は終了する。時コードが正常に受信されたと判断された場合、処理はＳ７７に移行する。
【００８８】
Ｓ７７では、分コードが受信される。そして、処理はＳ７８に移行する。Ｓ７８では、分コードが正常に受信されたか否かが判断される。分コードが正常に受信されなかったと判断された場合、一連の処理は終了する。分コードが正常に受信されたと判断された場合、処理はＳ７９に移行する。
【００８９】
Ｓ７９では、秒コードが受信される。そして、処理はＳ８０に移行する。Ｓ８０では、秒コードが正常に受信されたか否かが判断される。秒コードが正常に受信されなかったと判断された場合、一連の処理は終了する。秒コードが正常に受信されたと判断された場合、処理はＳ８１に移行する。
【００９０】
Ｓ８１では、日時情報の更新が行われる。ここでは、Ｓ７１，Ｓ７３，Ｓ７５，Ｓ７７，Ｓ７９において受信した各コードに基づいて日時が更新される。そして、処理はＳ８２に移行する。Ｓ８２では、日時修正モードがリセットされる。すなわち、カメラ本体３のモードが日時修正モードから撮影モードに切り替えられることとなる。その後、処理はＳ８３に移行する。Ｓ８３では、リモコン受信回路６６がオフされる。そして、一連の処理は終了する。
【００９１】
このように、カメラ本体３は、設定状態に従って、受信された複数の異なる信号のうちの一部の信号に関する処理を行う。より詳しく説明すると、カメラ本体３は、日時修正モードである場合にデート信号に基づいて日時の修正処理を行い、日時修正モードでない場合の受信処理においてはレリーズ信号に基づいてレリーズ処理を行っている。さらに詳しく説明すると、リモコン２からレリーズ信号及びデート信号が送信されると、カメラ本体３は、双方に関する処理を行うわけでなく、いずれか一方のみの処理を行い、どちらの処理を行うかを日時修正モードであるか否か（Ｓ６４）により決定する。
【００９２】
次に、図１６及び図１７を参照して、図１０の修正桁変更処理と図１４及び図１５の遠隔操作信号の受信に関する処理とについて再度説明する。図１６は、時刻修正モード中のカメラ本体３のＬＣＤ５８における表示の一例を示す図である。図１６に示すように、修正桁は、「年」とされている。このとき、「年」の表示である「０２」は点滅し、「月」の表示である「１」及び「日」の表示ある「１」は点滅していない。
【００９３】
図１７は、時刻修正モード中におけるカメラ本体３の表示領域１０４内の日時表示１０６の一例を示す図であり、（ａ）は修正桁が「年」である場合を示し、（ｂ）は修正桁が「月」である場合を示し、（ｃ）は修正桁が「日」である場合を示し、（ｄ）は修正桁が「時」である場合を示し、（ｅ）は修正桁が「分」である場合を示し、（ｆ）は修正終了の状態を示している。
【００９４】
先ず、図１７（ａ）に示すように修正桁が「年」とされている状態から、デートスイッチ９８が操作されると、修正桁が「月」に移行する。そして、セットスイッチ１００が例えば３回オンされて、図１７（ｂ）に示すように「１」であった「月」の表示が「４」にされる。
【００９５】
この状態から、デートスイッチ９８が操作されると、修正桁が「日」に移行する。そして、セットスイッチ１００が例えば２回オンされて、図１７（ｃ）に示すように「１」であった「日」の表示が「３」にされる。以後、同様に、修正桁が「日」から「時」に（図１７（ｄ））、「時」から「分」に移行させ、日時表示１０４が図１７（ｅ）に示す状態とされる。そして、この状態から、デートスイッチ９８が操作されると、点滅は停止し、日時表示１０４は図１７（ｆ）に示すように修正終了の状態となる。
【００９６】
ここで、図１７（ａ）の状態から、リモコン受信回路６６がデート信号を受信した場合、図１７（ｂ）〜（ｅ）の状態を経ることなく、日時表示１０４は修正されて図１７（ｆ）の状態になる。
【００９７】
以上のように、本実施形態に係るカメラシステム１によれば、遠隔操作信号送信スイッチ３６が操作されることにより複数の異なる信号が送信されるので、複数の異なる信号は、個別に送信されず、一度に送信されることになる。このため、信号ごとにスイッチが設けられるリモコンに比べ、スイッチの数を減らすことができる。従って、リモコン２の製造コストを低減することができる。
【００９８】
また、本実施形態に係るカメラシステム１によれば、設定状態に従って、受信された複数の異なる信号のうちの一部の信号に関する処理がカメラ本体３により行われる。このため、カメラ本体３は、複数の異なる信号を受信したにもかかわらず、そのうち一部の信号のみを抽出して、一部の信号のみが送信されてきた場合と同様に処理を行うこととなる。逆に、複数の異なる信号のうち一部の信号を除く他の信号に関する処理について行わないこととなる。従って、使用者はカメラ本体３を所定の設定状態とすることによりカメラ本体３に所望の処理のみを行わせることが可能となる。
【００９９】
また、本実施形態に係るカメラシステム１によれば、リモコン２は標準電波を受信する機能を有しているので、リモコン２の日時に関する情報は、より正確なものとなる。このため、送信されるデート信号は、正確な日時に関する情報を有することとなる。従って、カメラ本体３の日時表示をより正確な日時に修正することができる。
【０１００】
なお、本実施形態では、標準電波受信機能を有するリモコン２について説明したが、本発明はこれに限られるものではなく、リモコン２は標準電波受信機能を有しないものであってもよい。リモコン２が標準電波受信機能を有しなくとも、例えば、カメラ本体３の電池交換の際などには、カメラ本体３内の日時の情報が消去されてしまうので、リモコン２からデート信号を送信することで容易に時刻を修正でき、非常に有用である。
【０１０１】
【発明の効果】
以上詳細に説明したように本発明によれば、リモコンの製造コストを低減することができる。
【図面の簡単な説明】
【図１】本実施形態に係るカメラシステムの構成を示す斜視図である。
【図２】図１に示したリモコンの構成を示すブロック図である。
【図３】図１に示したリモコンの一部構成を示す外観図である。
【図４】図３に示したＬＣＤに表示される日時表示の一例を示す図であり、（ａ）は全表示の一例であり、（ｂ）は日付表示の一例であり、（ｃ）は時刻表示の一例である。
【図５】リモコンから送信される遠隔操作信号を説明する図である。
【図６】図１に示したカメラ本体の構成を示すブロック図である。
【図７】図１に示したカメラ本体の一部構成を示す外観図である。
【図８】図７に示したＬＣＤにおける全表示の一例を示す図である。
【図９】図１に示したカメラ本体のＳＭ開処理を示すフローチャートである。
【図１０】図７に示すデートスイッチが操作された場合のカメラ本体の処理を示すフローチャートであり、前半部分を示している。
【図１１】図７に示すデートスイッチが操作された場合のカメラ本体の処理を示すフローチャートであり、後半部分を示している。
【図１２】図１０に示した修正桁変更処理を示すのフローチャートである。
【図１３】カウントアップ処理を示すフローチャートである。
【図１４】図１に示したカメラ本体の遠隔操作信号の受信に関する処理を示すフローチャートであり、前半部分を示している。
【図１５】図１に示したカメラ本体の遠隔操作信号の受信に関する処理を示すフローチャートであり、後半部分を示している。
【図１６】時刻修正モード中のカメラ本体のＬＣＤにおける表示の一例を示す図である。
【図１７】時刻修正モード中におけるカメラ本体の表示領域内の日時表示の一例を示す図であり、（ａ）は修正桁が「年」である場合を示し、（ｂ）は修正桁が「月」である場合を示し、（ｃ）は修正桁が「日」である場合を示し、（ｄ）は修正桁が「時」である場合を示し、（ｅ）は修正桁が「分」である場合を示し、（ｆ）は修正終了の状態を示している。
【符号の説明】
１…カメラシステム、２…リモコン、３…カメラ本体、２２…リモコン送信回路、２４…標準電波受信回路、２８…スイッチ群、３２…デートスイッチ、３４…セットスイッチ、３６…遠隔操作信号送信スイッチ、３８…日時表示、４１…受信中表示、４２…正常受信表示、４３…非正常受信表示、６６…リモコン受信回路、８４…スイッチ群、８６…撮影スイッチ群、８８…設定スイッチ群、９８…デートスイッチ、１００…セットスイッチ、１０６…日時表示、１０８…電池マーク表示。
【図１】
2004125908.tif 000003
【図２】
2004125908.tif 000004
【図３】
2004125908.tif 000005
【図４】
2004125908.tif 000006
【図５】
2004125908.tif 000007
【図６】
2004125908.tif 000008
【図７】
2004125908.tif 000009
【図８】
2004125908.tif 000010
【図９】
2004125908.tif 000011
【図１０】
2004125908.tif 000012
【図１１】
2004125908.tif 000013
【図１２】
2004125908.tif 000014
【図１３】
2004125908.tif 000015
【図１４】
2004125908.tif 000016
【図１５】
2004125908.tif 000017
【図１６】
2004125908.tif 000018
【図１７】
2004125908.tif 000019